(57)【要約】      （修正有）【課題】犬猫等の糞尿に汚染された砂場や、除草剤等の薬剤に汚染されたゴルフ場の砂に殺菌除去・気化消滅作用を施して還元する事が可能な自走機能を有する小型軽量の装置であり、低コストでの安全な砂の処理方法を提供する。【解決手段】無限軌道車により所要砂場内に進出、砂場内を自走しながら掘削機等より投入される砂をホッパー１に受け、選別金具とパドル付シャフトにより異物の選別・粉砕し、流下した砂は、連接された加熱円筒ドラム６に圧送投入され、加熱円筒ドラム内で砂に混入している糞尿・薬剤は分離金具で分離されながら火焔・熱風に曝され加熱焼却、気化消滅し、残存する異物は加熱円筒ドラムに連接する篩別排出装置１２により篩別されて安全な砂が還元される。また砂場と周辺は竹酢液により殺菌処理される。【選択図】図１
0003132952.tif 000002
【実用新案登録請求の範囲】
【請求項１】
加熱焼却殺菌篩別装置は、砂を投入する為の投入ホッパー、選別金具、投入コンベヤよりなる受け具・選別撹拌部と、架台と駆動機構部、加熱円筒ドラムよりなる円筒型加熱装置、前記円筒型加熱装置に連接された中空円筒状の篩別ドラム、異物排出シューター、受け金具よりなる篩別排出装置より構成されていて、加熱焼却殺菌処理済の砂をそれ以外の異物と分離して砂場に戻すことを特徴とする。
【請求項２】
加熱円筒ドラム内全通に設置された2種類の分離金具によって砂の滑落・分離につき位相差を生じさせ、火焔・熱風に対する曝露・加熱効果を顕現させることで砂に対して焼却・殺菌・気化消滅作用を施せる請求項1の加熱焼却殺菌篩別装置。
【請求項３】
投入コンベヤ内での砂の撹拌粉砕圧送をする為のパドル付きシャフトを片持ち・遊底として目詰まりを防止し、作業性向上を特徴とする投入コンベヤを有する請求項1の加熱焼却殺菌篩別装置。
【請求項４】
排出側を低く傾斜して架設された加熱円筒ドラムを通過した砂は中空円筒状の金網の篩に達し回転しながら砂場に落下し、金網状の篩に残った異物は異物排出シューターを滑落して受け金具に懸吊されたバケツ等の受容具に落下して選別される砂と異物の篩別排出装置を有する請求項1の加熱焼却殺菌篩別装置。
【請求項５】
砂の含水量に応じて所要の加熱焼却殺菌効果を得る為に、加熱焼却殺菌篩別装置の構成各部一式の架設角度を、架台に架設された油圧昇降ジャッキによって自由に変える事により加熱円筒ドラム内の砂の移動速度を調整して、砂の加熱殺菌焼却効果の調整を可能とした請求項1の加熱焼却殺菌篩別装置。
【請求項６】
砂に加熱焼却殺菌処理を施す為、構成各部一式が動力付無限軌道車等の自走可能な車台に架設されて、自走して現場に進出し、自走しながら作業できる、請求項１、請求項２、請求項３、請求項４、請求項５の加熱焼却殺菌篩別装置。
【請求項７】
加熱焼却殺菌篩別装置により処理された砂と、作業前の砂を除去した状態の砂場の底面及び加熱焼却殺菌処理後の砂場と砂場周辺を竹酢液により殺菌処理することでより安全で安定した殺菌された状態を維持する事を特徴とする竹酢液による殺菌処理方法。
【考案の詳細な説明】
【技術分野】
【０００１】
本考案は、砂の加熱焼却殺菌篩別する装置、および竹酢液による砂の殺菌方法に関するものである。
【背景技術】
【０００２】
公園や学校幼稚園保育所に設けられた砂場は、学童や幼児にとって欠かす事の出来ない遊び場であり、学習の場でもある。しかしながらこうした砂場は犬猫にとって格好のトイレの場となっており、大腸菌や寄生虫等の繁殖しやすい環境となっている。これらの大腸菌や寄生虫等が砂場を利用する抵抗力の劣る学童や幼児の体内に入ると障害を引き起こす事となり危険である。
【０００３】
また、ゴルフ場において、従来コース上で目砂やグリーンで使用する砂の殺菌については回収した砂を焼却炉等に併設された砂焼装置（特開平5-141632）や、新しい砂を購入し入れ替えると言うコストの嵩むものであった。
【０００４】
このような状況から、砂場の砂を殺菌する方法が様々な発明考案されてきた。砂場の砂を取出して殺菌処理するもの（特開平7-172576）、自走式で砂場の近傍で加熱や薬剤
で殺菌処理するもの（実開平7-25024、特開平07-132245、特開平8-110031、特許公開
2001-153333）抗菌された砂との取替え、焼却炉等で余熱等を用いて加熱処理、殺菌剤の使用等、多様である。
【０００５】
【特許文献１】実開平07-25024、特開平07-132245
【考案の開示】
【考案が解決しようとする課題】
【０００６】
しかし、人件費や手間が嵩んだり、環境保護の観点から問題があったり、自走式とはいえその装置が大掛かりなため砂場等の目的地の近傍まで実際に進出展開しての処理が
難しいのが実情であった。
【０００７】
また、処理を済ませた砂に犬、猫、土竜、が再度寄り付き糞尿等で再び大腸菌や回虫に汚染されてしまう。
【０００８】
本考案はこうした様々な問題、状況に対して解決を図るべく考案されたもので、軽量、簡素、機動性のある砂の加熱焼却殺菌篩別装置を提供し、併せて、砂の竹酢液による
殺菌方法を提供する事を課題とする。
【課題を解決するための手段】
【０００９】
本考案は、まず砂を投入する受け具としての投入ホッパーと、投入された砂を目の粗い選別金具を通す事で枝や玩具等、長尺ものの異物を選別除去し、選別された砂の滞留や塊状化を防いで、かつ圧送する為にパドル状の羽根が取り付けられたシャフトが回転して撹拌粉砕するパドルスクリューの設置された投入コンベヤより為る受け具・撹拌粉砕部と、撹拌粉砕処理され投入コンベヤに連接する加熱円筒ドラム内に圧送投入された砂を、バーナーの火焔と熱風に対して加熱、焼却、殺菌処理する為に加熱円筒ドラム内全通にわたる2種類の分離金具にて砂を分離し、曝露する事で万遍無く加熱焼却殺菌処理を施し、そしてその加熱円筒ドラムの架設角度を油圧昇降ジャッキによりを調整することにより砂の流下移動速度を操作して加熱焼却殺菌能力を制御できる円筒型加熱装置と、前記円筒型加熱装置に連接された目の細かい篩と異物排出シューター、受け金具で構成される篩別排出装置と、小型発電機とＬＰガスボンベを携行装備する無限軌道車の車台に前記一式の装置を架設し、自走しながらの作業能力をも有する加熱焼却殺菌篩別装置。
【００１０】
また本考案に係わる竹酢液による処理方法は、竹酢液は殺菌作用だけでなく犬、猫、土竜、が忌避する効用があるので、加熱処理する砂場の砂を除去し、その除去後の砂場底面に竹酢液を噴霧して殺菌処理を施し、除去された砂は前記加熱焼却殺菌処理装置により加熱焼却殺菌処理され砂場に戻し養生後、竹酢液を噴霧して殺菌処理を行い、併せて砂場周辺にも噴霧して殺菌処理の効能を高め、安全な状態を保持する。
【考案の効果】
【００１１】
本考案による砂の加熱焼却殺菌篩別装置は、バーナーの火焔による砂の加熱焼却だけでなく加熱円筒ドラム内を移動する際、加熱円筒ドラム内全通にわたる2種類の分離用金具の作用で砂が分離・滑落されながら、万遍なく高温の火焔及び熱風に曝され続ける事により大腸菌や寄生虫を確実に焼却、殺菌、死滅させ、また、除草剤等の薬剤も気化消滅させる事ができる。処理過程の砂の中に加熱焼却されずに加熱円筒ドラムより排出された異物は連接する篩別排出装置で篩別され、異物排出シューター上を滑落し、シューター直下に取り付けられた架台より架設されている受け金具に懸吊されたバケツの等の受容具内に排出されるので安全で夾雑物等の異物のない砂として篩から排出され砂場に戻される。また軽量、簡素、機動性のある装置であるため不整形地での進出展開作業も可能で、小型でもあるため現場ごとの作業性にも優れ、現場の規模、状況に応じて自走しながら処理する事が可能な、簡易で低廉な加熱焼却殺菌処理作業を実現出来る。
【００１２】
竹酢液による処理方法は、植物由来の殺菌作用が広く認められている竹酢液を使用する事で、従来の抗菌剤を使用するといった薬害に対する不安を抱くことがなく、砂と、砂を取り除いた砂場底部、及び砂場周辺に噴霧処理を施す事により、大腸菌を死滅させ、尚且つ、原因と言うべき犬、猫、土竜、を忌避させる特性を有するので砂の安全性を高め、保持することが出来る。
【考案を実施するための最良の形態】
【００１３】
公園、遊技場等の砂場内の砂を除去し、本件考案の竹酢液の噴霧殺菌処理を砂場底面に施し、加熱焼却殺菌処理装置を噴霧殺菌処理後の砂場内に自走進出させ、バックホー等の掘削機により投入ホッパーに砂を投入し、自走しながら加熱焼却殺菌処理装置から処理され、滑落した砂を砂場に堆積させる。全ての砂の処理終了後、加熱焼却殺菌処理装置は砂場内から自走離脱し、前記竹酢液による殺菌処理を加熱焼却殺菌処理後の砂場とその周辺に噴霧殺菌処理を施す。
【実施例】
【００１４】
各部構成  名称とその働きの概説  以下、図1から図8に従って本考案の実施例の説明をする。図１は加熱焼却殺菌篩別装置の全体姿図、図２は受け具俯瞰図、図３は受具・選別撹拌部、図４は円筒型加熱部正面姿図、図5は加熱円筒ドラム・タイヤ部詳細図、図６は加熱円筒ドラム駆動部詳細図、図７は円筒加熱部・篩別排出装置姿図、図８は砂場周辺・底部の竹酢液噴霧殺菌概念図である。  
【００１５】
6  は鋼鈑等によって円筒状に成形された加熱円筒ドラムであり、この  加熱円筒ドラム6は  Ｆ  の架台に回転可能なように搭載され、Ｖ  の無限軌道車や、運搬用自動車といった車台に搭載されての搬送・展開が可能であり、加熱円筒ドラム  6  内全通には2種類の（8  9）  分離金具が各3枚ずつ交互に並置されている。10  保炎衝突板は、加熱円筒ドラム6の端末で篩別排出装置12の直前に設置され、バーナーの火焔による火気の円筒型加熱装置からの漏出を防ぐ働きをする。加熱円筒ドラム6に連接された  12  篩別排出装置は、受け具・選別撹拌部（図2・3）及び、加熱円筒ドラム6において処理が施されても尚残存する異物を篩別けする中空円筒状の金網状の篩と、その篩別けされた異物を自動的にバケツ等の受容具に滑落させる  異物排出シューター14、受容具を懸吊する受け金具17よりなる。これら一連の加熱焼却殺菌篩別装置は受け具・撹拌粉砕部（図2・3）、加熱円筒ドラム6と篩別排出装置12とこれら一式を油圧昇降ジャッキ13により角度調整する事が可能な架台Ｆより構成され、この角度調整により砂の状況に応じた加熱殺菌処理を行う事ができる。
【００１６】
受け具・選別撹拌部  （図2・3）、は投入ホッパー1  と選別金具2、投入コンベヤ3内に片持ちで架設された投入コンベヤ駆動モーターＭ１によって駆動される撹拌用パドル付コンベヤシャフト4より構成される。砂は掘削機等で投入ホッパー1に投入され、選別金具2を流下する際に枝・玩具等の異物を選別する。選別された砂は直下に連接された投入コンベヤ3内に滑落し、片持ちで架設された撹拌用パドル付コンベヤシャフト4によって撹拌・粉砕されて連接する加熱円筒ドラム6に圧送・投入される。
【００１７】
撹拌用パドル付コンベヤシャフト4は投入ホッパー1、選別金具2から流下してくる砂を投入コンベヤ3内で撹拌・粉砕を行う。この際、砂は水分を含んだ塊状である為、撹拌・粉砕を行う投入コンベヤ3内では滞留し易い為、撹拌用パドル付コンベヤシャフト4を片持ちとして一方（流下側）を遊底として回転軸芯に遊びを持たせることでこれを防ぎ、粒状に撹拌・粉砕する作業性を向上させた。  
【００１８】
加熱円筒ドラム6  （図1,4,5）は受け具・選別撹拌部(図2,3)の投入コンベヤ3より投入された粒状の砂をバーナーの火焔とその生み出す熱風によって加熱焼却殺菌する為の耐熱容器であり、この加熱円筒ドラム6は前記の受け具・選別撹拌部(図2,3)と共に油圧昇降ジャッキ13にて角度調節が出来るように一体として架台Ｆに架設されている(図1)。架台Ｆは図示の通り無限軌道車Ｖに搭載されるだけでなく、運搬用自動車に搭載されることも可能で、尚且つ、加熱殺菌焼却装置一式が架設された架台Ｆ自体を据置いて作業することも可能な汎用性が高いものである。そして加熱円筒ドラム6は内周に2種類の砂の分離金具8,9が交互に配置されている。10は火焔・熱風の火気を円筒型加熱装置からの漏出を防ぐ為の保炎衝突板である。
【００１９】
加熱円筒ドラム6の直径はφ450ｍｍ程度、長さはｌ＝2,000ｍｍ弱程度と従来の発明・考案より優れてコンパクトである。この加熱円筒ドラムは、2箇所に設置されたタイヤ15に外接円として接する架台Ｆに設置されたフリータイヤ16各2個により回転可能なように支持されて、ドラム駆動モーターＭ2によって与えられた駆動力を駆動スプロケット10、従動スプロケット11介して加熱円筒ドラムに外接する駆動チェーン7によって回転される。回転速度は3〜4/分の範囲でコンバーター(図示せず)によって制御される。
【００２０】
砂の分離金具8,9は図5の通り  Ｌ型（8）  Ｉ型(9)  の2種類の形状よりなり、投入コンベヤより投入・圧送されてくる撹拌・粉砕処理された砂を分離し、バーナーの火焔とその熱風に曝し所要の加熱焼却殺菌乾燥状態を得る為に加熱円筒ドラム6内全通に亘って設置されている。従来技術においてドラム内に設置されている羽根は砂を排出方向に移送する事を主たる目的として設置されており、そのため、スクリュウ状の形状をしている。そのスクリュー状の羽根に受容された砂は撹拌されもするがそのほとんどが底面に滞留し表面だけが加熱されるのが実態であり、スクリューであることは排出方向へ羽根上を滑落・移送されやすくする為の形状であると思われる。また、半径方向に対して開放若しくは平行して設定されているので砂を跳ね上げる程度で、良く掻揚げられたとしても加熱円筒ドラム内の上死点付近で滑落してしまうので目的の一つとする十分な撹拌効果を挙げていなかったと思われる。本件考案は砂の火焔・熱風に対する十分な曝露効果を得る為、各分離金具を半径方向に対して平行と為るように設定し、Ｉ型金具9に因る、跳ね上げ分離効果と、Ｌ型金具8に因る、砂を把持して掻き揚げる事による分離効果により、砂の分離に位相差が生じ、P1〜P2に及ぶ広角な範囲での掻き揚げられた砂の滑落による分離を促すことで、砂を火焔・熱風に対して万遍無く曝して効率よく加熱焼却殺菌乾燥状態を得る事ができる。
【００２１】
角度調整  本件考案による処理を要する砂の含水状況は様々で、所要の加熱殺菌焼却状況を得る為に加熱円筒ドラム6の架設されている鋼製の枠組みｆ2を油圧昇降ジャッキ13によって角度を調整変化させる。加熱円筒ドラム6に諸処の角度を与える事で、含水状況の高い砂や、処理を十全に施す必要の有る砂には角度を低くして加熱円筒ドラム6内における砂の分離滑落の垂直方向に対する位相角度差が小さく為る事で排出方向に対する進捗が遅くなり加熱円筒ドラム6内での火焔・熱風に対する砂の分離曝露効果を十分に行渡らせる様に出来る。逆に、含水状況の低い砂や、所要処理程度の低い砂の処理には角度を大きくして分離滑落の垂直方向に対する位相角度差を大きくして排出方向に対する進捗を早くする。といった処理工程の流れに差をつけることが可能である。併せて、コンバーター（図示せず）による加熱円筒ドラム6の回転速度の調整を(3〜4回転/min)行う事で加熱焼却殺菌処理の十全を期する事が出来る。
【００２２】
篩別排出装置  加熱円筒ドラム6に連接された篩別排出装置12は加熱円筒ドラム6内にて加熱焼却処理されずに残存した異物と砂を中空円筒状の金網ドラムにて回転させながら篩別けし、砂は滑落して砂場に戻される。異物は、篩別ドラム下端から架台Ｆより架設された異物排出シューター14に滑落し、同じく架台Ｆより架設された受け金具17に懸吊されたバケツ等受容具に落下する事で砂と夾雑物等の異物とは完全に分離される。この篩別の為の手段はパンチングメタル等の多孔鋼鈑を使用することも否定しない。
【００２３】
架台  本件考案は、加熱焼却殺菌篩別装置一式を架台Ｆの鞍上に架設され、無限軌道車Ｖに一体として架設されて不整形地を乗り越えて直接砂場内への進出展開することが可能な軽量コンパクトな装置である。そして、前記装置は一式の装置として運搬用自動車・農耕用運搬車等に架設されて砂場の近傍への進出展開や、一式の装置を置台等に据置いての作業場内での砂の加熱焼却殺菌篩別する作業も可能である。架台Ｆは2種類の鋼製の枠組み（ｆ1、ｆ2）からなる。ｆ1は油圧昇降ジャッキ13を架設して、ｆ2の枠組みとはヒンジによって緊結されていて、ｆ2を支持する。ｆ2は油圧昇降ジャッキ13とヒンジでｆ1によって支持され、受け具・選別撹拌部、円筒型加熱装置と、篩別排出装置他の構成各部を支持する。ｆ2には排出用シューター12と受け金具17が直接架設される。油圧昇降ジャッキ13はｆ1に架設されてｆ2を支持し昇降させることで加熱円筒ドラム6の架設角度を調整して加熱焼却殺菌処理の程度を調整する為の働きをする。
【００２４】
竹酢液  本件考案たる加熱焼却殺菌篩別装置は、砂場の砂に加熱焼却殺菌処理を施せるが、砂場の周辺及び砂場の底部にも犬、猫等の糞尿の汚染は及んでいる。従来の発明考案ではこの点についての処置はほとんど顧慮されておらず、唯一抗菌剤の噴霧程度であった。抗菌剤では犬、猫の糞尿による大腸菌等の繁殖を抑制し得たとしても殺菌処置を施しているわけでないので十分な処置と言い難く、また、砂場で遊戯する児童に対する経口・経皮による新たな薬害も懸念される。そこで本件考案では竹酢液という殺菌の効能を有する植物由来の溶液を砂場底部及び砂場周辺に噴霧する事で大腸菌等が殆ど検出されないクリーンな状態を得る事を可能とする。また、竹酢液は人間には感知し得ない犬・猫・土竜の忌避する特有の臭気を有している事から噴霧処置後もしばらく汚染されにくい状況を確保できる特性を生かし、加熱殺菌焼却装置により処理して砂場に戻された砂にも噴霧することで砂場とその周辺に処置後、安全な状態を確保できる。
【００２５】
本件考案による加熱手段は、携行するＬＰガスボンベ(図示せず)より供給されるＬＰガスを使用するバーナーをバーナーサポート5に設置して投入コンベヤ3より加熱円筒ドラム6に圧送・投入される砂に直接火焔を噴射して砂中の大腸菌等の雑菌や寄生虫を焼却殺菌すると共に、糞、枝葉といった可燃性のごみを焼却する。そして、砂はバーナーの火焔と、火焔が生み出す熱風に加熱円筒ドラム6という狭隘な空間内で分離金具(8.9)によって分離滑落され、曝され続けることで確実に加熱焼却殺菌処理と除草剤等の気化消滅処理を施される。バーナーは取外しが可能であり、砂の状況に応じて能力の異なるバーナーを選択して使用する。
【００２６】
駆動機構部  加熱円筒ドラム6は携行する小型発電機（図示せず）により供給される電力でドラム駆動モーターＭ2によって動力を発生させて回転駆動される。動力はチェーンを介して駆動スプロケット10に伝達され、駆動スプロケット10に連通した従動スプロケット11が加熱円筒ドラム6に外接する駆動チェーン7によって加熱円筒ドラム6を回転させる。投入コンベヤ駆動モーターＭ1の動力も携行小型発電機から供給されるものである。小型発電機は100ボルト仕様とする。これは、加熱殺菌焼却装置を無限軌道車Ｖ等の車台から取り外し、据置いての加熱殺菌焼却作業を施す際に家庭用の電源を以って携行小型発電機の換わりとするためである。
【００２７】
車台  搬送手段である車台は加熱殺菌焼却装置が小型軽量であることから図示の通りの無限軌道車Ｖや運搬用自動車、農耕用の小型運搬車両に積載しての進出展開が可能である。
【００２８】
本件考案により加熱焼却殺菌処理されて砂場に直接戻された砂は、砂自体余熱を持って戻されるので、処理済の砂が次々と戻され堆積・積層していくことで60度以上の自熱を保った状態が冬季でも30分以上持続するので、例え死滅せずに生き残った大腸菌が存在し得たとしても、いわゆる低温殺菌と同等の効果も得られるのでこの段階での殺菌効果も期待できる。
【００２９】
上記の通りの実施例にとどまることなくゴルフ場のバンカーやコースの目砂の焼砂処理についても現場に進出しての作業も可能であり、円筒型加熱装置の軸心をコース上不整形地の斜面の傾斜角方向に合わせることで容易に作業が出来る。また、可搬性の高さから、圃場内に進出して土壌改良のために土壌の焼却殺菌処理を行う事も否定しない。
【００３０】
以上のように本件考案は従来技術に示されている複雑な機構構成によることなく、単純、軽量、小型な機構装置でありながら作業効率が高く、そして、低廉なコストで確実に砂の加熱焼却殺菌処理を行う事ができる。
【図面の簡単な説明】
【００３１】
【図１】加熱焼却殺菌篩別装置全体姿図
【図２】受け具  俯瞰図
【図３】受け具・選別撹拌部
【図４】円筒型加熱部正面姿図
【図５】加熱円筒ドラム・タイヤ部詳細図
【図６】加熱円筒ドラム駆動部詳細図
【図７】円筒型加熱部・篩別排出装置姿図
【図８】砂場周辺。底部の竹酢液噴霧殺菌概念図
【符号の説明】
【００３２】
１投入ホッパー
２選別金具
３投入コンベヤ
４撹拌用パドル付コンベヤシャフト
５バーナーサポート
６加熱円筒ドラム
７駆動チェーン
８Ｌ型金具
９Ｉ型金具
１０駆動スプロケット
１１従動スプロケット
１２篩別排出装置
１３油圧昇降ジャッキ
１４異物排出シューター
１５タイヤ
１６フリータイヤ
１７受け金具
Ｍ1  投入コンベヤ駆動モーター
Ｍ2  ドラム駆動モーター
P1  砂の分離滑落開始点
P2  砂の分離滑落終点
ｆ1  鋼製の枠組み
ｆ2  鋼製の枠組み
Ｖ  無限軌道車
Ｆ  ｆ1とｆ2より構成される
Ｎ  噴霧器ノズル
ＳＢ  砂場
【図１】
0003132952.tif 000003
【図２】
0003132952.tif 000004
【図３】
0003132952.tif 000005
【図４】
0003132952.tif 000006
【図５】
0003132952.tif 000007
【図６】
0003132952.tif 000008
【図７】
0003132952.tif 000009
【図８】
0003132952.tif 000010
【手続補正書】
【提出日】平成19年4月5日(2007.4.5)
【手続補正１】
【補正対象書類名】実用新案登録請求の範囲
【補正対象項目名】全文
【補正方法】変更
【補正の内容】
【実用新案登録請求の範囲】
【請求項１】
加熱焼却殺菌篩別装置は、砂を投入する為の投入ホッパー、選別金具、投入コンベヤよりなる受け具・選別撹拌部と、架台と駆動機構部、加熱円筒ドラムよりなる円筒型加熱装置、前記円筒型加熱装置に連接された中空円筒状の篩別ドラム、異物排出シューター、受け金具よりなる篩別排出装置より構成されていて、加熱焼却殺菌処理済の砂をそれ以外の異物と分離して砂場に戻すことを特徴とする、砂の加熱焼却殺菌篩別装置。
【請求項２】
加熱円筒ドラム内全通に設置された2種類の分離金具によって砂の滑落・分離につき位相差を生じさせ、火焔・熱風に対する曝露・加熱効果を顕現させることで砂に対して焼却・殺菌・気化消滅作用を施せる請求項1の加熱焼却殺菌篩別装置。
【請求項３】
投入コンベヤ内での砂の撹拌粉砕圧送をする為のパドル付きシャフトを片持ち・遊底として目詰まりを防止し、作業性向上を特徴とする投入コンベヤを有する請求項1の加熱焼却殺菌篩別装置。
【請求項４】
排出側を低く傾斜して架設された加熱円筒ドラムを通過した砂は中空円筒状の金網の篩に達し回転しながら砂場に落下し、金網状の篩に残った異物は異物排出シューターを滑落して受け金具に懸吊されたバケツ等の受容具に落下して選別される砂と異物の篩別排出装置を有する請求項1の加熱焼却殺菌篩別装置。
【請求項５】
砂の含水量に応じて所要の加熱焼却殺菌効果を得る為に、加熱焼却殺菌篩別装置の構成各部一式の架設角度を、架台に架設された油圧昇降ジャッキによって自由に変える事により加熱円筒ドラム内の砂の移動速度を調整して、砂の加熱殺菌焼却効果の調整を可能とした請求項1の加熱焼却殺菌篩別装置。
【請求項６】
砂に加熱焼却殺菌処理を施す為、構成各部一式が動力付無限軌道車等の自走可能な車台に架設されて、自走して現場に進出し、自走しながら作業できる、請求項１、請求項２、請求項３、請求項４、請求項５のいずれか１項に記載の加熱焼却殺菌篩別装置。
【請求項７】
殺菌の効能を有する竹酢液の特性を利用し加熱焼却殺菌篩別装置により処理された砂と、加熱焼却殺菌作業前の砂を除去した状態の砂場の底面、及び砂場周辺を竹酢液により殺菌することでより安全で安定した状態を維持する事を特徴とする殺菌処理を必要に応じて選択する事ができる請求項１の加熱焼却殺菌篩別装置。
【手続補正３】
【補正対象書類名】明細書
【補正対象項目名】０００１
【補正方法】変更
【補正の内容】
【０００１】
本考案は、砂の加熱焼却殺菌篩別する装置に関するものである。